(57)【要約】      （修正有）【課題】簡易かつ保守が極めて容易な構成により、ショッピングフロアにおける顧客ユーザの行動ログをリアルタイムで集積し、顧客ユーザの行動に合致するコンテンツをリアルタイムで提示する。【解決手段】位置情報収集装置２は、商品が収容される可搬コンテナ１１、１２に配設される信号発信器１１ｂ、１２ｂから発信される信号を受信する信号受信部と、受信された信号から、可搬コンテナの位置情報と、可搬コンテナを一意に識別する識別子と、受信開始時刻と、を少なくとも含む受信開始位置情報を生成する受信開始位置情報生成部と、受信された前記信号から、前記可搬コンテナの位置情報と、可搬コンテナの識別子と、受信消失時刻と、を少なくとも含む受信消失位置情報を生成する受信消失位置情報生成部と、生成された受信開始位置情報と受信消失位置情報と、を、無線通信路４を介して接続されるサーバ５へ送信する位置情報送信部と、を備える。【選択図】図１
2017033442.tif 000002
【特許請求の範囲】
【請求項１】
ショッピングエリア内の所定位置に設置される位置情報収集装置であって、
前記ショッピングエリア内においてユーザが携行可能であって、商品が収容される可搬コンテナに配設される信号発信器から発信される信号を受信する信号受信部と、
前記信号受信部により受信された前記信号から、１つの可搬コンテナからの前記信号の受信開始時刻における前記可搬コンテナの前記位置情報と、前記可搬コンテナを一意に識別する識別子と、前記受信開始時刻と、を少なくとも含む受信開始位置情報を生成する受信開始位置情報生成部と、
前記受信信号部により受信された前記信号から、前記可搬コンテナからの前記信号が消失した受信消失時刻における前記可搬コンテナの前記位置情報と、前記可搬コンテナの前記識別子と、前記受信消失時刻と、を少なくとも含む受信消失位置情報を生成する受信消失位置情報生成部と、
前記受信開始位置情報生成部により生成された前記受信開始位置情報と、前記受信消失位置情報生成部により生成された前記受信消失位置情報と、を、無線通信路を介して接続されるサーバへ送信する位置情報送信部と、
を具備することを特徴とする位置情報収集装置。
【請求項２】
前記信号受信部により前記信号が受信されたことを契機に、前記信号に基づき検出される前記位置情報により示される位置近傍の画像を撮像する画像撮像部、をさらに具備し、
前記位置情報送信部は、前記画像撮像部により撮像された画像を、前記可搬コンテナの前記識別子と共に、前記サーバへ送信する、
ことを特徴とする請求項１記載の位置情報収集装置。
【請求項３】
前記信号受信部は、前記発信器から発信される前記信号を、Ｂｌｕｅｔｏｏｔｈ  Ｌｏｗ  Ｅｎｅｒｇｙ（ＢＬＥ）規格に基づく非接触型無線通信を介して、ビーコン信号として受信する、ことを特徴とする請求項１又は２に記載の位置情報収集装置。
【請求項４】
ショッピングエリア内の所定位置に設置される感応型コンテンツ表示装置であって、
前記ショッピングエリア内においてユーザが携行可能であって、商品が収容される可搬コンテナに配設される信号発信器から発信される信号を受信する信号受信部と、
前記信号受信部により受信された前記信号から、前記可搬コンテナを一意に識別する識別子を取得する識別子取得部と、
前記識別子取得部により取得された前記可搬コンテナの前記識別子に対応するコンテンツの検索要求を、無線通信路を介して接続されるサーバへ送信する検索要求送信部と、
前記サーバから、前記検索要求送信部により送信された前記検索要求に応じて、前記可搬コンテナについて蓄積された前記位置情報から得られる軌跡情報に対応して検索されたコンテンツを受信するコンテンツ受信部と、
前記コンテンツ受信部により受信された前記コンテンツを、前記信号が受信される間、表示装置に表示させる表示制御部と、
を具備することを特徴とする感応型コンテンツ表示装置。
【請求項５】
ショッピングエリア内の所定位置に設置される位置情報収集装置及び感応型コンテンツ表示装置のそれぞれと、無線通信路を介して遠隔接続される位置情報管理サーバであって、
前記位置情報収集装置から送信される、前記ショッピングエリア内においてユーザが携行可能であって、商品が収容される可搬コンテナに配設される信号発信器から発信される信号の受信開始時刻における前記可搬コンテナの前記位置情報と、前記可搬コンテナを一意に識別する識別子と、前記受信開始時刻と、を少なくとも含む受信開始位置情報と、前記可搬コンテナからの前記信号が消失した受信消失時刻における前記可搬コンテナの前記位置情報と、前記可搬コンテナの前記識別子と、前記受信消失時刻と、を少なくとも含む受信消失位置情報と、を受信する位置情報受信部と、
前記位置情報受信部により受信された前記受信開始位置情報及び前記受信消失位置情報を、前記可搬コンテナの前記識別子ごとに、記憶装置に記憶蓄積する位置情報記憶制御部と、
前記記憶装置に記憶される前記受信開始位置情報及び前記受信消失位置情報から、前記可搬コンテナの前記識別子ごとに、前記ショッピングエリア内における軌跡情報を生成する軌跡情報生成部と、
前記感応型コンテンツ表示装置に表示されるべきコンテンツを、前記軌跡情報に対応して記憶装置に記憶するコンテンツ記憶制御部と、
前記感応型コンテンツ表示装置から送信される、１つの可搬コンテナの前記識別子に対応するコンテンツの検索要求を受信する検索要求受信部と、
前記検索要求受信部により受信される前記検索要求に応じて、前記検索要求に含まれる識別子の可搬コンテナについて生成された前記軌跡情報に対応して前記記憶装置に記憶される前記コンテンツを検索する検索部と、
前記検索部により検索された前記コンテンツを、前記感応型コンテンツ表示装置へ送信する送信部と、
を具備することを特徴とする位置情報管理サーバ。  
【請求項６】
ショッピングエリア内の所定位置に設置される位置情報収集装置により実行される位置情報収集方法であって、
前記ショッピングエリア内においてユーザが携行可能であって、商品が収容される可搬コンテナに配設される信号発信器から発信される信号を受信するステップと、
受信された前記信号から、１つの可搬コンテナからの前記信号の受信開始時刻における前記可搬コンテナの前記位置情報と、前記可搬コンテナを一意に識別する識別子と、前記受信開始時刻と、を少なくとも含む受信開始位置情報を生成するステップと、
受信された前記信号から、前記可搬コンテナからの前記信号が消失した受信消失時刻における前記可搬コンテナの前記位置情報と、前記可搬コンテナの前記識別子と、前記受信消失時刻と、を少なくとも含む受信消失位置情報を生成するステップと、
生成された前記受信開始位置情報と、生成された前記受信消失位置情報と、を、無線通信路を介して接続されるサーバへ送信するステップと、
を含むことを特徴とする位置情報収集方法。
【請求項７】
コンピュータを、ショッピングエリア内の所定位置に設置される位置情報収集装置として動作させるコンピュータプログラムであって、該プログラムは、
前記ショッピングエリア内においてユーザが携行可能であって、商品が収容される可搬コンテナに配設される信号発信器から発信される信号を受信する信号受信処理と、
前記信号受信処理により受信された前記信号から、１つの可搬コンテナからの前記信号の受信開始時刻における前記可搬コンテナの前記位置情報と、前記可搬コンテナを一意に識別する識別子と、前記受信開始時刻と、を少なくとも含む受信開始位置情報を生成する受信開始位置情報生成処理と、
前記受信信号処理により受信された前記信号から、前記可搬コンテナからの前記信号が消失した受信消失時刻における前記可搬コンテナの前記位置情報と、前記可搬コンテナの前記識別子と、前記受信消失時刻と、を少なくとも含む受信消失位置情報を生成する受信消失位置情報生成処理と、
前記受信開始位置情報生成処理により生成された前記受信開始位置情報と、前記受信消失位置情報生成処理により生成された前記受信消失位置情報と、を、無線通信路を介して接続されるサーバへ送信する位置情報送信処理と、
を含むことを特徴とするコンピュータプログラム。
【発明の詳細な説明】
【技術分野】
【０００１】
本発明は、スーパーマーケット、デパート、コンビニエンスストア、ショッピングモール等の小売店舗のショッピングフロア（売り場）における位置情報収集装置、感応型コンテンツ表示装置、位置情報管理サーバ、及びその方法に関し、特に、これらショッピングフロアにおけるオンサイトでショッピングをする顧客ユーザの位置情報を取得し、及び顧客の商品購入をリアルタイムでナビゲーションするための技術に関する。
【背景技術】
【０００２】
入店してからレジカウンタでチェックアウトするまでの、ショッピングフロア（売り場）における顧客ユーザの位置情報を取得する技術が公知である。取得された位置情報から顧客ユーザの移動履歴を生成し、生成された移動履歴に基づいて、ショッピングフロアレイアウトや商品陳列を効率化することが試みられている。
例えば、特許文献１は、スーパーマーケット、デパート、コンビニエンスストア等の売り場情報の管理システムにおいて、ショッピングカートや買い物かごにＲＦＩＤ（Ｒａｄｉｏ  Ｆｒｅｑｕｅｎｃｙ  Ｉｄｅｎｔｉｆｉｃａｔｉｏｎ）タグを取り付けると共に、売り場の所定位置に位置情報発信器を設置して、顧客ユーザの位置情報を取得するシステムを開示する。
【０００３】
具体的には、特許文献１においては、カートや買い物かごに取り付けられたＲＦＩＤタグが、売り場の所定位置に設置された位置情報発信器から発信される位置情報を受信したとき、受信した位置情報及びＲＦＩＤタグのＩＤを、近傍位置に設置したアンテナ及び受信器等を介して、管理コンピュータに送信する。管理コンピュータは、受信した位置情報及びＲＦＩＤタグのＩＤを、送信された時間と共に、記憶装置に記憶する。
記憶装置に蓄積されたＲＦＩＤタグごとの位置情報を用いることにより、ＰＯＳレジシステムなどにおいて取得される商品購入情報に依存することなく、エリア別の売り場情報の分析を実行することができる。例えば、売り場のエリア別の滞留時間や買い物客の密度を、記憶装置からの情報を解析することにより、表示出力することができる。
【先行技術文献】
【特許文献】
【０００４】
【特許文献１】特開２００５−５６１７３号公報
【発明の概要】
【発明が解決しようとする課題】
【０００５】
しかしながら、従来技術には以下の問題点があった。
すなわち、特許文献１の技術においては、ショッピングフロアを移動する顧客ユーザが保持するショッピングカートや買い物かごに取り付けられるＲＦＩＤタグは、各売り場の陳列棚等に設置された位置情報発信器から発信される位置情報を受信する受信デバイスである。このため、ショッピングフロア内を移動するカートや買い物かごの現在の位置情報や移動軌跡をリアルタイムで把握することが困難であった。同時に、管理サーバで受信される位置情報は、フロア内を移動するカートや買い物かご等の位置自体ではなく、陳列棚に固定された位置情報発信器の位置情報であるため、離散的であり、移動するカートの位置を高精度に把握することは困難であった。さらに、ＲＦＩＤタグデバイスから管理サーバへ位置情報を送信するためのアプリケーションの構築、メンテナンスが必要であり、煩雑であった。
また、受信された位置情報は、ＲＦＩＤタグから、各売り場に設置された受信器及びアンテナを介して管理サーバへ送信されるが、この位置情報の送信のために、ショッピングカートや買い物かごの予測される通過点に指向性を有するよう、位置情報発信器とは別途にアンテナや受信器をそれぞれ設置しなければならず、設備構成が複雑化すると共に、売り場レイアウト変更などがある際には都度再配置をしなければならず、柔軟性に欠けていた。
【０００６】
さらに、ショッピングフロアを移動する顧客ユーザが保持するショッピングカートや買い物かごに取り付けられるＲＦＩＤタグは、上述のとおり受信デバイスであるため、各売り場の陳列棚等に表示装置が設置されていたとしても、これと連動することが困難であり、予め記憶された専ら一律の商品購入（割引等）情報や、プロモーション映像等を表示出力するのみであった。このため、移動してくる各顧客ユーザに応じた個別化されたコンテンツを表示出力することが困難であった。
本発明は、上記従来技術の問題点を解決するためになされたものであり、簡易かつ保守が極めて容易な構成により、ショッピングフロアにおける顧客ユーザの行動ログ（移動履歴）をリアルタイムで集積し、また集積された行動ログから当該顧客ユーザの行動に合致するコンテンツをリアルタイムで提示することのできる、位置情報集積装置、感応型コンテンツ表示装置、位置情報管理サーバ、及びその方法、を提供することを課題とするものである。
【課題を解決するための手段】
【０００７】
上記課題を解決するために、本発明のある態様によれば、ショッピングエリア内の所定位置に設置される位置情報収集装置であって、前記ショッピングエリア内においてユーザが携行可能であって、商品が収容される可搬コンテナに配設される信号発信器から発信される信号を受信する信号受信部と、前記信号受信部により受信された前記信号から、１つの可搬コンテナからの前記信号の受信開始時刻における前記可搬コンテナの前記位置情報と、前記可搬コンテナを一意に識別する識別子と、前記受信開始時刻と、を少なくとも含む受信開始位置情報を生成する受信開始位置情報生成部と、前記受信信号部により受信された前記信号から、前記可搬コンテナからの前記信号が消失した受信消失時刻における前記可搬コンテナの前記位置情報と、前記可搬コンテナの前記識別子と、前記受信消失時刻と、を少なくとも含む受信消失位置情報を生成する受信消失位置情報生成部と、前記受信開始位置情報生成部により生成された前記受信開始位置情報と、前記受信消失位置情報生成部により生成された前記受信消失位置情報と、を、無線通信路を介して接続されるサーバへ送信する位置情報送信部と、を具備することを特徴とする位置情報収集装置が提供される。
上記位置情報収集装置は、前記信号受信部により前記信号が受信されたことを契機に、前記位置情報により示される位置近傍の画像を撮像する画像撮像部、をさらに具備し、前記位置情報送信部は、前記画像撮像部により撮像された画像を、前記可搬コンテナの前記識別子と共に、前記サーバへ送信してよい。
上記位置情報収集装置において、前記信号受信部は、前記発信器から発信される前記信号を、Ｂｌｕｅｔｏｏｔｈ（登録商標）  Ｌｏｗ  Ｅｎｅｒｇｙ（ＢＬＥ）規格に基づく非接触型無線通信を介して、ビーコン信号として受信してよい。
【０００８】
本発明の他の態様によれば、ショッピングエリア内の所定位置に設置される感応型コンテンツ表示装置であって、前記ショッピングエリア内においてユーザが携行可能であって、商品が収容される可搬コンテナに配設される信号発信器から発信される信号を受信する信号受信部と、前記信号受信部により受信された前記信号から、前記可搬コンテナを一意に識別する識別子を取得する識別子取得部と、前記識別子取得部により取得された前記可搬コンテナの前記識別子に対応するコンテンツの検索要求を、無線通信路を介して接続されるサーバへ送信する検索要求送信部と、前記サーバから、前記検索要求送信部により送信された前記検索要求に応じて、前記可搬コンテナについて蓄積された前記位置情報から得られる軌跡情報に対応して検索されたコンテンツを受信するコンテンツ受信部と、前記コンテンツ受信部により受信された前記コンテンツを、前記信号が受信される間、表示装置に表示させる表示制御部と、を具備することを特徴とする感応型コンテンツ表示装置が提供される。
【０００９】
本発明の他の態様によれば、ショッピングエリア内の所定位置に設置される位置情報収集装置及び感応型コンテンツ表示装置のそれぞれと、無線通信路を介して遠隔接続される位置情報管理サーバであって、前記位置情報収集装置から送信される、前記ショッピングエリア内においてユーザが携行可能であって、商品が収容される可搬コンテナに配設される信号発信器から発信される信号の受信開始時刻における前記可搬コンテナの前記位置情報と、前記可搬コンテナを一意に識別する識別子と、前記受信開始時刻と、を少なくとも含む受信開始位置情報と、前記可搬コンテナからの前記信号が消失した受信消失時刻における前記可搬コンテナの前記位置情報と、前記可搬コンテナの前記識別子と、前記受信消失時刻と、を少なくとも含む受信消失位置情報と、を受信する位置情報受信部と、前記位置情報受信部により受信された前記受信開始位置情報及び前記受信消失位置情報を、前記可搬コンテナの前記識別子ごとに、記憶装置に記憶蓄積する位置情報記憶制御部と、前記記憶装置に記憶される前記受信開始位置情報及び前記受信消失位置情報から、前記可搬コンテナの前記識別子ごとに、前記ショッピングエリア内における軌跡情報を生成する軌跡情報生成部と、前記感応型コンテンツ表示装置に表示されるべきコンテンツを、前記軌跡情報に対応して記憶装置に記憶するコンテンツ記憶制御部と、前記感応型コンテンツ表示装置から送信される、１つの可搬コンテナの前記識別子に対応するコンテンツの検索要求を受信する検索要求受信部と、前記検索要求受信部により受信される前記検索要求に応じて、前記検索要求に含まれる識別子の可搬コンテナについて生成された前記軌跡情報に対応して前記記憶装置に記憶される前記コンテンツを検索する検索部と、前記検索部により検索された前記コンテンツを、前記感応型コンテンツ表示装置へ送信する送信部と、を具備することを特徴とする位置情報管理サーバが提供される。
【００１０】
本発明の他の態様によれば、ショッピングエリア内の所定位置に設置される位置情報収集装置により実行される位置情報収集方法であって、前記ショッピングエリア内においてユーザが携行可能であって、商品が収容される可搬コンテナに配設される信号発信器から発信される信号を受信するステップと、受信された前記信号から、１つの可搬コンテナからの前記信号の受信開始時刻における前記可搬コンテナの前記位置情報と、前記可搬コンテナを一意に識別する識別子と、前記受信開始時刻と、を少なくとも含む受信開始位置情報を生成するステップと、受信された前記信号から、前記可搬コンテナからの前記信号が消失した受信消失時刻における前記可搬コンテナの前記位置情報と、前記可搬コンテナの前記識別子と、前記受信消失時刻と、を少なくとも含む受信消失位置情報を生成するステップと、生成された前記受信開始位置情報と、生成された前記受信消失位置情報と、を、無線通信路を介して接続されるサーバへ送信するステップと、を含むことを特徴とする位置情報収集方法が提供される。
【００１１】
本発明の他の態様によれば、コンピュータを、ショッピングエリア内の所定位置に設置される位置情報収集装置として動作させるコンピュータプログラムであって、該プログラムは、前記ショッピングエリア内においてユーザが携行可能であって、商品が収容される可搬コンテナに配設される信号発信器から発信される信号を受信する信号受信処理と、前記信号受信処理により受信された前記信号から、１つの可搬コンテナからの前記信号の受信開始時刻における前記可搬コンテナの前記位置情報と、前記可搬コンテナを一意に識別する識別子と、前記受信開始時刻と、を少なくとも含む受信開始位置情報を生成する受信開始位置情報生成処理と、前記受信信号処理により受信された前記信号から、前記可搬コンテナからの前記信号が消失した受信消失時刻における前記可搬コンテナの前記位置情報と、前記可搬コンテナの前記識別子と、前記受信消失時刻と、を少なくとも含む受信消失位置情報を生成する受信消失位置情報生成処理と、前記受信開始位置情報生成処理により生成された前記受信開始位置情報と、前記受信消失位置情報生成処理により生成された前記受信消失位置情報と、を、無線通信路を介して接続されるサーバへ送信する位置情報送信処理と、を含むことを特徴とするコンピュータプログラムが提供される。
【発明の効果】
【００１２】
本発明に係る位置情報収集装置、感応型コンテンツ表示装置、位置情報管理サーバ、及びその方法によれば、簡易かつ保守が極めて容易な構成により、ショッピングフロアにおける顧客ユーザの行動ログ（移動履歴）をリアルタイムで集積し、また集積された行動ログから当該顧客ユーザの行動に合致するコンテンツをリアルタイムで提示することができる。従って、ショッピングフロアにおける顧客ユーザの行動ログ（移動履歴）から得られる最適なコンテンツを、ショッピングフロアに滞在中でチェックアウト前の顧客ユーザに速やかにフィードバックすることができる。よって、商品販売機会の逸失を回避することができ、商品販売効率の向上に資する。
【図面の簡単な説明】
【００１３】
【図１】本発明の第１の実施形態に係る位置情報管理システムのネットワーク構成の一例を示す図である。
【図２】第１の実施形態に係るビーコン発信器及び該ビーコン発信器が取り付けられた買い物かごの一例を示す斜視図である。
【図３】第１の実施形態に係る位置情報収集装置（ビーコン受信器）及びコンテンツ表示装置のショッピングフロアにおける設置の一例を示す平面図である。
【図４】第１の実施形態に係る位置情報収集装置が実行する位置情報収集処理の処理フローの一例を示すフローチャートである。
【図５】第１の実施形態に係る位置情報管理サーバが実行する位置情報管理処理の処理フローの一例を示すフローチャートである。
【図６】第１の実施形態に係るコンテンツ表示装置が実行するコンテンツ表示処理の処理フローの一例を示すフローチャートである。
【図７】本発明の各実施形態に係るサーバ装置及びショッピングフロア内に設置される各装置のハードウエア構成の一例を示す図である。
【発明を実施するための形態】
【００１４】
以下、本発明の実施の形態を、図面を参照して詳細に説明する。
第１の実施形態
（第１の実施形態に係る位置情報管理システムの構成）
以下、図１ないし図３を参照して、第１の実施形態に係る位置情報管理システムの構成を説明する。
図１は、本発明の第１の実施形態に係る位置情報管理システムのネットワーク構成の一例を示す図である。
図１において、位置情報管理システム１は、ビーコン発信器１１ｂ、１２ｂと、位置情報収集装置２と、コンテンツ表示装置３と、無線ネットワーク４と、位置情報管理サーバ５とを備える。位置情報管理システム１はさらに、ＰＯＳ情報管理サーバ６を備えてよい。
ビーコン発信器１１ｂ、１２ｂは、それぞれ、ショッピングフロアの入口等に載置される買い物かご１１又はショッピングカート１２の端部に、１台につき１つ取り付けられる。このビーコン発信器１１ｂ、１２ｂは、例えばＢｌｕｅｔｏｏｔｈ（登録商標）  Ｌｏｗ  Ｅｎｅｒｇｙ（ＢＬＥ）規格（Ｂｌｕｅｔｏｏｔｈ（登録商標）４．０規格の一部）に準拠するビーコン（Ｂｅａｃｏｎ）信号を発信する発信器であるビーコン端末であり、ビーコン信号を、例えば間欠的に（例えば、数秒に１回）無線発信する。このビーコン発信器１１ｂ、１２ｂが発信するビーコン信号は、少なくとも、ビーコン発信器１１ｂ、１２ｂのそれぞれを一意に識別するＩＤ（識別子）を含む。さらに、このビーコン信号は、ビーコン発信器１１ｂ、１２ｂのそれぞれの位置を特定する位置情報を含んでもよい。
【００１５】
ＢＬＥ規格に準拠するビーコン端末は、僅か数センチオーダーのサイズの汎用小型端末であって、非常に安価で入手可能である。さらに、ビーコン端末は、省電力でビーコン信号を発信可能であるため、１つのボタン電池により１年以上の駆動が可能である。このため、顧客ユーザがショッピングフロア内で携行し、購入（チェックアウト）すべき商品を一時的に収容する買い物かご１１やショッピングカート１２などの多数の可搬型コンテナ（ないし可搬コンテナ）のそれぞれにビーコン端末を取り付ける必要があるところ、多数の買い物かご１１又はショッピングカート１２のそれぞれに、一旦電池を内蔵するビーコン発信器１１ｂ、１２ｂを取り付ければ、その後１年以上保守が不要である。従って、多数の買い物かご１１又はショッピングカート１２にそれぞれ取り付けられても、トータルの装置設置コストや保守コストが低廉に維持可能となる。
【００１６】
図２は、買い物かご１１にビーコン発信器１１ｂを取り付けた一例を示す斜視図である。ビーコン発信器１１ｂは、買い物かご１１に固定可能な取り付け具（固定具）を備え、買い物かご１１に収容（投入）される商品と干渉しにくい部分であれば、図示された部分に限らず、いかなる部分に取り付けられてもよい。
図１に戻り、位置情報収集装置２は、アンテナ２ｂを内蔵又は外装し、買い物かご１１又はショッピングカート１２に取り付けられたビーコン発信器１１ｂ、１２ｂから発信されるビーコン信号を、非接触型で、ＢＬＥ規格に規定する範囲内（数センチから数十メートルオーダー）において、アンテナ２ｂを介して検知受信する。
なお、第１の実施形態においては、位置情報収集装置２が、ビーコン発信器１１ｂ、１２ｂの発信するビーコン信号を受信するため、ＢＬＥ規格が許容する範囲内で、ビーコン信号受信範囲を適宜、任意に設定することができる。例えば、ある位置情報収集装置２と、隣接する位置情報収集装置２とのビーコン信号受信範囲が重複するように設定すれば、２台又はそれ以上の位置情報収集装置２によって、１つのビーコン発信器１１ｂ、１２ｂの位置情報を取得することができるので、ビーコン発信器１１ｂ、１２ｂの座標位置を公知の測量技術を適用してより高精度に特定することができ、好適である。
【００１７】
図３は、ショッピングフロア内の売り場やレジカウンタに設置される複数の位置情報収集装置２の配置例を示す図である。図３に示すように、位置情報収集装置２は、例えば、ショッピングエリア入口近傍の買い物かご１１又はショッピングカート１２置き場、商品の陳列棚３や特設棚３、レジカウンタ８に設置される。この構成により、位置情報収集装置２は、ショッピングエリア内で移動する顧客ユーザが携行する買い物かご１１やショッピングカート１２が、自装置のビーコン信号受信圏内に入って以降、ビーコン信号受信圏外に移動するまでの間、買い物かご１１又はショッピングカート１２に取り付けられた  ビーコン発信器１１ｂ、１２ｂのビーコン信号を、継続して受信することができる。
【００１８】
図１に戻り、位置情報収集装置２は、例えば、ＢＬＥ受信機能を持つ汎用デバイスであればいかなる構成のものを用いてもよい。位置情報収集装置２は、例えば、エジソン（Ｅｄｉｓｏｎ）端末装置などの小型筐体ＰＣを搭載することで実装できる。
位置情報収集装置２は、無線ネットワーク（例えば、無線ＬＡＮネットワーク）４を介して、位置情報管理サーバ５に接続され、さらに、無線ネットワーク４を介して、ＰＯＳ情報管理サーバ６にも接続され得る。
位置情報収集装置２は、自装置に接近してビーコン信号受信圏内に入ったビーコン発信器１１ｂ、１２ｂが発信するビーコン信号を受信し、受信されたビーコン信号から発信元のビーコン発信器１１ｂ、１２ｂのＩＤを取得する。すなわち、位置情報収集装置２は、買い物かご１１又はショッピングカート１２がビーコン信号受信圏内に入った際に検知されたビーコン信号から、当該買い物かご１１又はショッピングカート１２に取り付けられたビーコン発信器１１ｂ、１２ｂのＩＤを取得する。
さらに、位置情報収集装置２は、ビーコン発信器１１ｂ、１２ｂが発信するビーコン信号に基づいて、受信したビーコン信号の発信元であるビーコン発信器１１ｂ、１２ｂの位置を特定する位置情報を検出する。例えば、受信されたビーコン信号の受信方向や受信信号強度（ＲＳＳＩ）等を用いて、ビーコン信号発信器１１ｂ、１２ｂの位置情報を検出することが可能である。
【００１９】
同様に、位置情報収集装置２は、ビーコン信号受信圏外に移動したビーコン発信器１１ｂ、１２ｂからのビーコン信号が消失した時点で、直前に受信されたビーコン信号から発信元のビーコン発信器１１ｂ、１２ｂのＩＤと位置情報を取得する。すなわち、位置情報収集装置２は、買い物かご１１又はショッピングカート１２がビーコン信号受信圏外へ移動した際に直前に検知されたビーコン信号から、当該買い物かご１１又はショッピングカート１２に取り付けられたビーコン発信器１１ｂ、１２ｂのＩＤと位置情報を取得する。
上記のように取得生成されたビーコン発信器１１ｂ、１２ｂのＩＤと位置情報に、ビーコン信号の受信時刻（受信タイムスタンプ）又は消失時刻（消失タイムスタンプ）を付加して、位置情報収集装置２は、位置情報管理サーバ５へ、ビーコン発信器ごとの時刻付き位置情報として送信する。
【００２０】
なお、位置情報収集装置２は、ビーコン信号が受信されている間、継続してビーコン発信器１１ｂ、１２ｂのＩＤ及び位置情報を位置情報管理サーバ５へ送信してもよく、所定の周期間隔で間欠的に、ビーコン発信器１１ｂ、１２ｂのＩＤ及び位置情報を位置情報管理サーバ５へ送信してもよい。
位置情報収集装置２は、上記のように、ＢＬＥ受信機能を有する汎用デバイスに、受信したビーコン発信器１１ｂ、１２ｂの位置情報とそのＩＤを送信するだけの簡易なアプリケーションを実行させるだけで実現することができ、極めて小型の装置構成で、売り場やレジカウンタに多数配置するのに好適である。
【００２１】
また、買い物かごにＲＦＩＤタグを取り付け、ＲＦＩＤタグからＩＤ情報を受信してサーバに送信する従来技術と比較して、位置情報収集装置２が売り場やレジカウンタに固定的に配置される際に、ビーコン発信器１１ｂ、１２ｂからのＩＤ情報受信のためのアンテナ設置において、ビーコン信号発信側のように指向性等を考慮して設置する必要がない。このため、ショッピングフロアのレイアウト変更がされた際も、都度設置アンテナの方向修正などを行う必要がない。
さらに、ショッピングフロアにおいて、商品又はそのパッケージにＲＦＩＤを貼付等して、位置情報を把握する、例えば万引き防止のための検知システムが構成されている場合には、ショッピングカートに取り付けられたＲＦＩＤとの通信と商品等に貼付されたＲＦＩＤとの通信の間で、クロストーク等の干渉が発生し、通信品質が損なわれる虞がある。これに対して、本実施形態によれば、このようなＲＦＩＤを用いたショッピングフロア内の既存システムとも干渉することがない。
【００２２】
位置情報管理サーバ５は、無線ネットワーク４を介して、位置情報収集装置２、コンテンツ表示装置３と接続される。位置情報管理サーバ５は、さらに、及びＰＯＳ情報管理サーバ６と接続されてよい。
位置情報管理サーバ５は、位置情報履歴ＤＢ５１と、軌跡情報ＤＢ５２と、コンテンツＤＢ５３と、を備える。
位置情報管理サーバ５は、また、複数の位置情報収集装置２からそれぞれ取得される１つのビーコン発信器１１ｂ、１２ｂについての位置情報及び時刻情報を相互参照して、あるビーコン発信器１１ｂ、１２ｂについてのより高精度な座標位置を推定してもよく、この推定された位置も、位置情報履歴ＤＢに併せて記憶されてもよい。
【００２３】
位置情報履歴ＤＢ５１は、ビーコン発信器１１ｂ、１２ｂのＩＤごとに、位置情報収集装置２から送信される、位置情報と、該位置情報が取得された時刻情報（タイムスタンプ）とを蓄積記憶する。
軌跡情報ＤＢ５２は、位置情報履歴ＤＢ５１に蓄積記憶されている、ビーコン発信器１１ｂ、１２ｂのＩＤごとの、位置情報及び時刻情報（タイムスタンプ）から、リアルタイムで、ビーコン発信器１１ｂ、１２ｂのＩＤごとに、軌跡情報を生成することができる。この軌跡情報から、買い物かご１１又はショッピングカート１２を持つ顧客ユーザの、ショッピングフロア内における動線や、滞留状況（滞留場所及び滞留時間）を把握することができる。
【００２４】
コンテンツＤＢ５３は、あるビーコン発信器１１ｂ、１２ｂについて生成された軌跡情報に応じて、ショッピングフロアの各売り場やレジカウンタにおいて、当該ビーコン発信器１１ｂ、１２ｂ（すなわちこれが取り付けられた買い物かご１１又はショッピングカート１２）が接近したコンテンツ表示装置３に表示出力されるべきコンテンツを格納記憶する。この格納記憶されるコンテンツは、テキストデータ、グラフィックデータ、静止画像データ、映像データ、音声データなど多様な種類を有してよい。
例えば、これらコンテンツは、軌跡情報から把握される、当該顧客ユーザにより購買されると推定される商品や、当該商品と併買（ないし併売）される商品のプロモーション映像やクーポン情報、併売組み合わせのシナリオ、軌跡情報から把握される顧客ユーザが興味を持つと推定される別の売り場の商品のプロモーション映像や広告、商品を材料とする料理レシピ、等を含む。
【００２５】
位置情報管理サーバ５は、コンテンツ表示装置３から受信されるコンテンツ検索要求に応じて、生成された軌跡情報から推定される、当該顧客ユーザが興味を喚起する、ないし購買する蓋然性が高い商品に関するコンテンツを選択し、コンテンツ検索要求送信元のコンテンツ表示装置３へ選択されたコンテンツを送信する。
ＰＯＳ情報管理サーバ６は、無線ネットワーク４を介して、位置情報管理サーバ５、位置情報収集装置２、コンテンツ表示装置３と接続されてよい。なお、ＰＯＳ情報を顧客ユーザの行動分析に利用しない場合には、位置情報管理システム１は、ＰＯＳ情報管理サーバ６を備えなくてもよい。
ＰＯＳ情報管理サーバ６は、ＰＯＳ情報ＤＢ６１を備える。レジカウンタ８にも位置情報収集装置２を設置して、ビーコン発信器１１ｂ、１２ｂの位置情報を取得し、例えば、レジカウンタ８のＰＯＳレジで取得されたＰＯＳデータと対応付ければよい。例えば、ＰＯＳデータを取得するＰＯＳレジと位置情報収集装置２との間の近距離に限定した非接触型通信を実行することにより、買い物かご１１又はショッピングカート１２と、当該買い物かご１１又はショッピングカート１２について取得されたＰＯＳデータとを対応付けることができる。この対応付けは、位置情報収集装置２において実行されてもよく、これに替えて、ビーコン発信器１１ｂ、１２ｂのＩＤをキーに、位置情報管理サーバ５において実行されてもよい。
【００２６】
位置情報管理サーバ５からの要求に応じて、ＰＯＳ（Ｐｏｉｎｔ  ｏｆ  Ｓａｌｅｓ）情報を参照することで、軌跡情報が生成されたビーコン発信器１１ｂ、１２ｂが取り付けられた買い物かご１１又はショッピングカート１２に収容された商品のうち、どの商品が、最終的にレジカウンタにおいて、購買に至ったか否かを把握することができる。購買に至った商品の情報と、軌跡情報とを併せて顧客ユーザの行動分析を行うことで、より精度の高い購買行動分析や、フロアプランないし商品陳列の最適化を図ることができる。ポイントカードや顧客ユーザが携帯するスマートフォン等のメディアからＰＯＳデータと併せて顧客ユーザの情報を取得して、軌跡情報やＰＯＳデータと組み合わせて分析すれば、当該顧客ユーザの行動パターンを学習して、次回来店時にフィードバックすることもできる。
【００２７】
コンテンツ表示装置３は、位置情報収集装置２と同様、アンテナ（図示せず）を内蔵又は外装し、買い物かご１１又はショッピングカート１２に取り付けられたビーコン発信器１１ｂ、１２ｂから発信されるビーコン信号を、非接触型で、ＢＬＥ規格に規定する範囲内（数センチから数十メートルオーダー）において、検知受信する。
図３を再び参照し、ショッピングフロア内の売り場やレジカウンタに設置される複数のコンテンツ表示装置３の配置例を示す図である。図３に示すように、コンテンツ表示装置３は、例えば、ショッピングエリア入口近傍の買い物かご１１又はショッピングカート１２置き場、商品の陳列棚３や特設棚３、レジカウンタ８に設置されてよいが、顧客ユーザが、表示されるコンテンツを視認することが容易な位置に設置されることが好適である。
【００２８】
この構成により、コンテンツ表示装置３は、ショッピングエリア内で移動する顧客ユーザが携行する買い物かご１１やショッピングカート１２が、自装置のビーコン信号受信圏内に入ったことを契機として、取得されたビーコン発信器１１ｂ、１２ｂのＩＤに対応するコンテンツの検索要求を生成して、位置情報管理サーバ５へ送信する。コンテンツ表示装置３はまた、検索要求に応答して位置情報管理サーバ５から受信したコンテンツを、自装置のディスプレイ装置に表示出力させる。これにより、買い物かご１１やショッピングカート１２がビーコン信号受信圏外に移動するまでの間、買い物かご１１又はショッピングカート１２を携行する顧客ユーザに、当該顧客ユーザの軌跡情報（動線情報や移動方向、滞留場所及び滞留時間を含む滞留状況等）から推定される購買を喚起するのに好適なコンテンツを、当該顧客ユーザに確実に視認させることができる。
【００２９】
好適には、コンテンツ表示装置３が表示出力するコンテンツは、当該顧客ユーザの購買が喚起するのに好適なコンテンツであると共に、さらに、コンテンツ表示装置３が設置された売り場に陳列された商品に関するコンテンツである。このためには、位置情報管理サーバ５が管理するコンテンツＤＢ５３に、ショッピングフロアのフロアプラン情報を含めばよい。
好適には、コンテンツ表示装置３は、あるビーコン発信器１１ｂ、１２ｂからのビーコン信号が受信されている間、当該ビーコン発信器１１ｂ、１２ｂのＩＤに対応したコンテンツを表示出力し、ビーコン信号が消失したことを契機に当該コンテンツの表示出力を終了すればよい。
代替的に、変形例として、顧客ユーザが携帯するスマートフォン（図示せず）が、コンテンツ表示装置３の機能を備え、位置情報管理サーバ５から受信されるコンテンツを表示出力してもよい。
【００３０】
図１に戻り、コンテンツ表示装置３は、例えば、ＢＬＥ受信機能を持つ汎用デバイスであって、表示ないし音声出力可能なデバイスを備えるであればいかなる構成のものでもよい。コンテンツ表示装置３は、例えば、タブレット端末装置に実装される。
コンテンツ表示装置３は、無線ネットワーク（例えば、無線ＬＡＮネットワーク）４を介して、位置情報管理サーバ５に接続され、さらに、無線ネットワーク４を介して、ＰＯＳ情報管理サーバ６にも接続され得る。
コンテンツ表示装置３は、自装置に接近してビーコン信号受信圏内に入ったビーコン発信器１１ｂ、１２ｂが発信するビーコン信号を受信し、受信されたビーコン信号から発信元のビーコン発信器１１ｂ、１２ｂのＩＤを取得する。すなわち、コンテンツ表示装置３は、買い物かご１１又はショッピングカート１２がビーコン信号受信圏内に入った際に検知されたビーコン信号から、当該買い物かご１１又はショッピングカート１２に取り付けられたビーコン発信器１１ｂ、１２ｂのＩＤを取得する。コンテンツ表示装置３は、受信したビーコン信号に基づいて、ビーコン信号発信元であるビーコン発信器１１ｂ、１２ｂの位置情報を検出する。或いは、ビーコン信号が、ビーコン発信器１１ｂ、１２ｂの位置情報を含んでもよい。ビーコン信号が受信されている間、位置情報の検出が継続される。
【００３１】
（第１の実施形態に係る位置情報収集処理）
次に、図４を参照して、位置情報収集装置２が実行する、第１の実施形態に係る位置情報収集処理の詳細を説明する。
図４は、第１の実施形態に係る位置情報収集装置２が実行する位置情報収集処理のフローを示すフローチャートである。
まず、ステップＳ４１において、位置情報収集装置２は、買い物かご１１又はショッピングカート１２に取り付けられたビーコン発信器１１ｂ、１２ｂが発信するビーコン信号が受信されたか否かを判断する。
ビーコン信号が受信された場合（ステップＳ４１Ｙ）、ステップＳ４２に進み、一方、ビーコン信号が受信されない場合には、処理を終了して、ビーコン信号待ち受け状態を維持する（ステップＳ４１Ｎ）。
【００３２】
ステップＳ４２において、位置情報収集装置２は、受信されたビーコン信号から、受信されたビーコン信号の発信元であるビーコン発信器１１ｂ、１２ｂのＩＤを、ＢＬＥ通信を介して取得する。位置情報収集装置２はまた、受信されたビーコン信号に基づいて、ビーコン信号の発信元であるビーコン発信器１１ｂ、１２ｂの位置情報を検出する。
さらに、位置情報収集装置２は、自装置のタイマーから、或いは受信されたビーコン信号から、ビーコン信号の受信時刻を、受信開始時刻として取得する。
ステップＳ４３において、位置情報収集装置２は、ステップＳ４２において取得された、ビーコン発信器１１ｂ、１２ｂのＩＤ、位置情報、受信開始時刻情報を含む受信開始位置情報を生成する。
ステップＳ４４において、位置情報収集装置２は、ステップＳ４３において生成された受信開始位置情報を、無線ネットワーク４を介して、位置情報管理サーバ５に送信する。
【００３３】
次いで、ステップＳ４５において、位置情報収集装置２は、受信開始位置情報が送信されたビーコン発信器１１ｂ、１２ｂからのビーコン信号が、ビーコン信号受信圏外へ移動したことにより、消失したか否かを判断する。
ビーコン信号消失した場合、ステップＳ４６に進み、ビーコン信号が消失しない場合は、処理を終了して、ビーコン信号待ち受け状態を維持する（ステップＳ４５Ｎ）。
ステップＳ４６において、位置情報収集装置２は、消失したビーコン信号の発信元であるビーコン発信器１１ｂ、１２ｂのＩＤと、ビーコン発信器１１ｂ、１２ｂの位置情報を、ＢＬＥ通信を介して取得する。さらに、位置情報収集装置２は、自装置のタイマーから、或いは消失直前に受信されたビーコン信号から、ビーコン信号の受信時刻を、受信消失時刻として取得する。
ステップＳ４７において、位置情報収集装置２は、ステップＳ４６において取得された、ビーコン発信器１１ｂ、１２ｂのＩＤ、位置情報、受信消失時刻情報を含む受信消失位置情報を生成する。
ステップＳ４８において、位置情報収集装置２は、ステップＳ４７において生成された受信消失位置情報を、無線ネットワーク４を介して、位置情報管理サーバ５に送信する。
【００３４】
（第１の実施形態に係る位置情報管理処理）
次に、図５を参照して、位置情報管理サーバ５が実行する、第１の実施形態に係る位置情報管理処理の詳細を説明する。
図５は、第１の実施形態に係る位置情報管理サーバ５が実行する位置情報管理処理のフローを示すフローチャートである。
まず、ステップＳ５１において、位置情報管理サーバ５は、位置情報収集装置２から、受信開始位置情報又は受信消失位置情報のいずれかが受信されたか否かを判断する。
受信開始位置情報又は受信消失位置情報が受信された場合（ステップＳ５１Ｙ）、ステップＳ５２に進み、一方、受信開始位置情報又は受信消失位置情報が受信されない場合には、処理を終了して、ステップＳ５４に進む（ステップＳ５１Ｎ）。
ステップＳ５２において、位置情報管理サーバ５は、ステップＳ５１において受信された受信開始位置情報又は受信消失位置情報を、当該位置情報の発信元であるビーコン発信器１１ｂ、１２ｂのＩＤ（すなわち、買い物かご１１又はショッピングカート１２のＩＤ）ごとに、位置情報履歴ＤＢ５１に蓄積記憶する。受信開始位置情報及び受信消失位置情報は、いずれも、時刻情報を持つため、位置情報履歴ＤＢ５１に蓄積記憶される位置情報から、ある位置情報発信器１１ｂ、１２ｂについてのショッピングフロア内の動線履歴を構成することができる。
【００３５】
こうして、ステップＳ５３において、位置情報管理サーバ５は、位置情報履歴ＤＢ５１に蓄積記憶された受信開始位置情報及び受信消失位置情報から、ビーコン発信器１１ｂ、１２ｂのＩＤごとに、買い物かご１１又はショッピングカート１２のショッピングフロアにおける動線情報、移動方向及び滞留場所・時間を含む軌跡情報を生成する。軌跡情報は、ステップＳ５４におけるコンテンツ表示装置３からのコンテンツ検索要求に応じて、コンテンツ検索要求に含まれるビーコン発信器１１ｂ、１２ｂのＩＤに対応する軌跡情報を生成してもよく、これに替えて、予め生成されておいてもよい。生成された軌跡情報は、軌跡情報ＤＢ５２に記憶蓄積されてよく、さらに適宜ワークメモリ等に保持されてもよい。
ステップＳ５４において、位置情報管理サーバ５は、コンテンツ表示装置３から、コンテンツ検索要求を受信する。具体的には、コンテンツ表示装置は、当該コンテンツ表示装置３のビーコン信号受信圏内に入ったビーコン発信器１１ｂ、１２ｂの発信するビーコン信号を受信し、この発信元であるビーコン発信器１１ｂ、１２ｂのＩＤに対応する、すなわち、当該ＩＤについて入店後から現時点までに生成された軌跡情報に対応する、コンテンツの検索要求を送信し、位置情報管理サーバ５により受信される。
【００３６】
ステップＳ５５において、位置情報管理サーバ５は、ステップＳ５４において受信したコンテンツ検索要求に含まれるビーコン発信器１１ｂ、１２ｂのＩＤをキーに、軌跡情報ＤＢ５２を検索し、ビーコン発信器１１ｂ、１２ｂに対応して記憶された軌跡情報を取得する。
位置情報管理サーバ５は、さらに、取得された軌跡情報から、この軌跡情報から推定される顧客ユーザが購買する蓋然性の高い商品や併売（クロスセル）すべき商品などのプロモーション映像や当該商品のクーポン情報などを含むコンテンツを検索する。
ステップＳ５６において、位置情報管理サーバ５は、ステップＳ５５において検索されたコンテンツを、コンテンツ検索要求の送信元であるコンテンツ表示装置３へ送信する。なお、ステップＳ５６において、位置情報管理サーバ５が送信元コンテンツ表示装置３へ検索されたコンテンツを送信することに替えて、或いはこれに併せて、コンテンツ表示装置３側から定期的に自装置で提示するのに最適な表示用コンテンツを取得する要求を位置情報管理サーバ５へ発行してもよい。
【００３７】
（第１の実施形態に係るコンテンツ表示処理）
次に、図６を参照して、コンテンツ表示装置３が実行する、第１の実施形態に係るコンテンツ表示処理の詳細を説明する。
図６は、第１の実施形態に係るコンテンツ表示装置３が実行するコンテンツ表示処理のフローを示すフローチャートである。
まず、ステップＳ６１において、コンテンツ表示装置３は、買い物かご１１又はショッピングカート１２に取り付けられたビーコン発信器１１ｂ、１２ｂが、ビーコン信号受信圏内に入ったことを契機に、ビーコン発信器１１ｂ、１２ｂが発するビーコン信号を受信する。
ステップＳ６２において、コンテンツ表示装置３は、ステップＳ６１において受信されたビーコン信号から、当該ビーコン信号の発信元であるビーコン発信器１１ｂ、１２ｂのＩＤを位置情報と共に取得する。
【００３８】
ステップＳ６３において、コンテンツ表示装置３は、ステップＳ６２において取得されたＩＤを有するビーコン発信器１１ｂ、１２ｂが取り付けられた買い物かご１１又はショッピングカート１２を携行する顧客ユーザに対して表示出力すべきコンテンツの検索要求を生成する。このコンテンツ検索要求は、少なくとも位置情報発信元のビーコン発信器１１ｂ、１２ｂのＩＤを含む。
ステップＳ６４において、コンテンツ表示装置３は、ステップＳ６３で生成されたコンテンツ検索要求を、位置情報管理サーバ５へ送信する。
ステップＳ６５において、コンテンツ表示装置３は、ステップＳ６３で送信されたコンテンツ検索要求に対する応答として、検索結果のコンテンツを受信する。
【００３９】
ステップＳ６６において、コンテンツ表示装置３は、ステップＳ６５において受信されたコンテンツを、自装置のディスプレイ装置を介して表示出力又は音声出力する。このコンテンツの表示は、ビーコン発信器１１ｂ、１２ｂがコンテンツ表示装置３のビーコン信号受信圏内に入った時点から、ビーコン受信信号圏外へ移動するまでの間、出力されてよい。
或いは、ビーコン信号受信圏内に、さらに近距離圏内のコンテンツ表示装置３までの距離の閾値を１つ又は複数段階で設け、ビーコン発信器１１ｂ、１２ｂがよりコンテンツ表示装置３に接近した時点で、顧客ユーザの注意喚起のためのコンテンツ出力をし、これに後続して商品に関するコンテンツを表示出力してもよい。
【００４０】
さらに、位置情報管理サーバ５から、移動の方向を有する軌跡情報を、コンテンツと共に受信すれば、ビーコン受信圏内にあるビーコン発信器１１ｂ、１２ｂが、コンテンツ表示装置３に対して接近する方向に移動しているのか、離隔する方向に移動しているのかを、コンテンツ表示装置３において把握することができる。ビーコン発信器１１ｂ、１２ｂがコンテンツ表示装置３に対して接近する方向に移動している際に、コンテンツを表示すれば、顧客ユーザの視野内にコンテンツ表示装置３がある可能性が高いため、顧客ユーザに対して、コンテンツ提示による訴求効果が高まることが期待できる。
【００４１】
第２の実施形態
上記の第１の実施形態の構成に対して、第２の実施形態に係る位置情報収集装置２（さらには、コンテンツ表示装置３）等のＢＬＥ受信機能を備える装置がカメラ等の撮像デバイスをさらに備える。
第２の実施形態に係る位置情報収集装置２の備える撮像デバイスにより、接近してくる顧客ユーザの具体的な動作を撮像し、撮像された画像データを、位置情報収集装置２が位置情報管理サーバ５へ送信する。
具体的には、位置情報収集装置２の撮像デバイスは、あるビーコン発信器１１ｂ、１２ｂが発信するビーコン信号が受信されたことを契機に、例えばビーコン信号に基づいて検出される位置情報により示される位置近傍の画像を撮像するよう動作することができる。撮像された画像は、例えば、ビーコン発信器１１ｂ、１２ｂ（買い物かご１１、ショッピングカート１２）のＩＤと共に、位置情報管理サーバ５へ送信されてよい。
位置情報管理サーバ５において、受信された画像データを、分析すれば、位置情報が取得されたユーザが、商品を把持して買い物かご１１又はショッピングカート１２へ投入する動作を行ったか否かを把握することが可能になる。買い物かご１１又はショッピングカート１２へ投入された商品は、その後レジカウンタでのチェックアウトを経て購入されたものと推定できる。このため、ＰＯＳ情報や個人情報を取得する必要なく、商品購買に関する情報を簡易に取得、利用することができる。
【００４２】
（各装置のハードウエア構成の一例）
図７は、位置情報管理システム１における各装置が備えるハードウエア構成の一例を示す図である。位置情報管理サーバ５、ＰＯＳ情報管理サーバ６、コンテンツ表示装置３、位置情報収集装置（例えば、Ｅｄｉｓｏｎ端末を搭載するもの）２は、図７に示すハードウエアコンポーネントの全部又は一部を備える。図７に示すＰＣ７２０は、ＣＰＵ７２１、ＲＯＭ７２２、ＲＡＭ７２３、外部メモリ７２４、入力部７２５、表示部７２６、通信Ｉ／Ｆ７２７及びシステムバス７２８を備える。位置情報収集装置２、コンテンツ表示装置３は、さらに、ビーコン発信器の接近を契機に、画像を撮像する撮像部（図示せず）を備えてもよい。
【００４３】
ＣＰＵ７２１は、装置における動作を統括的に制御するものであり、システムバス７２８を介して各構成部（７２２〜７２７）を制御する。ＣＰＵ７２１は位置情報収集処理、位置情報管理処理又はコンテンツ表示処理を実行する処理部として機能する。ＲＯＭ７２２は、ＣＰＵ７２１が処理を実行するために必要な制御プログラム等を記憶する不揮発性メモリである。なお、当該プログラムは外部メモリ７２４や着脱可能な記憶媒体（図示せず）に記憶されていてもよい。ＲＡＭ７２３は、ＣＰＵ７２１の主メモリ、ワークエリア等として機能する。よって、ＣＰＵ７２１は、処理の実行に際してＲＯＭ７２２から必要なプログラム等をＲＡＭ７２３にロードし、当該プログラム等を実行することで各種の機能動作を実現する。
【００４４】
外部メモリ７２４は例えば、ＣＰＵ７２１がプログラムを用いた処理を行う際に必要な各種データや各種情報等を記憶する。また、外部メモリ７２４には例えば、ＣＰＵ７２１がプログラム等を用いた処理を行うことにより得られた各種データや各種情報等が記憶される。入力部７２５はキーボード、タブレット等各種入力デバイスから構成される。表示部７２６は例えば液晶ディスプレイ等からなる。通信Ｉ／Ｆ７２７は、外部装置と通信するためのインターフェースであり、例えば無線ＬＡＮ（Ｗｉ−Ｆｉ）インターフェースやＢｌｕｅｔｏｏｔｈ（登録商標）インターフェースを備える。システムバス７２８は、ＣＰＵ７２１、ＲＯＭ７２２、ＲＡＭ７２３、外部メモリ７２４、入力部７２５、表示部７２６及び通信Ｉ／Ｆ７２７を通信可能に接続する。
以上、本発明の実施形態について詳細に説明したが、上記実施形態は、本発明を実施するにあたっての具体例を示したに過ぎない。本発明の技術的範囲は、前記実施形態に限定されるものではない。本発明は、その趣旨を逸脱しない範囲において種々の変更が可能であり、それらも本発明の技術的範囲に含まれる。
【符号の説明】
【００４５】
２            位置情報収集装置
２ｂ          アンテナ
３            コンテンツ表示装置
４            無線ネットワーク
５            位置情報管理サーバ
６            ＰＯＳサーバ
７            商品陳列棚
８            レジカウンタ
１１          買い物かご
１１ｂ、１２ｂ              ビーコン発信器
１２          ショッピングカート
５１          位置情報履歴ＤＢ
５２          軌跡情報ＤＢ
５３          コンテンツＤＢ
６１          ＰＯＳ情報ＤＢ
７２０        ＰＣ
７２１        ＣＰＵ
７２２        ＲＯＭ
７２３        ＲＡＭ
７２４        外部メモリ
７２５        入力部
７２６        表示部
７２７        通信Ｉ／Ｆ
【図１】
2017033442.tif 000003
【図２】
2017033442.tif 000004
【図３】
2017033442.tif 000005
【図４】
2017033442.tif 000006
【図５】
2017033442.tif 000007
【図６】
2017033442.tif 000008
【図７】
2017033442.tif 000009
【手続補正書】
【提出日】平成28年9月15日(2016.9.15)
【手続補正１】
【補正対象書類名】特許請求の範囲
【補正対象項目名】全文
【補正方法】変更
【補正の内容】
【特許請求の範囲】
【請求項１】
ショッピングエリア内を移動するユーザにより、入店からチェックアウトまでの間保持される、少なくとも１つの可搬コンテナと、前記ショッピングエリア内の所定位置に配置される位置情報収集装置とを備える位置情報収集システムであって、
前記可搬コンテナには、ビーコン信号発信器が配設され、前記ビーコン信号発信器は、当該ビーコン信号発信器を一意に識別する識別子を含むビーコン信号を間欠的に発信し、
前記位置情報収集装置は、
前記ビーコン信号発信器から発信される前記ビーコン信号を受信する信号受信部と、
前記信号受信部により受信された前記ビーコン信号の受信方向および受信信号強度から、前記ビーコン信号に含まれる前記識別子で特定されるビーコン信号発信器の位置情報を検出する位置情報検出部と、 
前記ビーコン信号の受信開始時刻における前記ビーコン信号発信器の前記位置情報と、前記ビーコン信号発信器の前記識別子と、前記受信開始時刻と、を少なくとも含む受信開始位置情報を生成する受信開始位置情報生成部と、
前記ビーコン信号が消失した受信消失時刻における前記ビーコン信号発信器の前記位置情報と、前記ビーコン信号発信器の前記識別子と、前記受信消失時刻と、を少なくとも含む受信消失位置情報を生成する受信消失位置情報生成部と、
前記受信開始位置情報生成部により生成された前記受信開始位置情報と、前記受信消失位置情報生成部により生成された前記受信消失位置情報と、を、無線通信路を介して接続されるサーバへ送信する位置情報送信部と、
を具備することを特徴とする位置情報収集システム。
【請求項２】
前記信号受信部により前記ビーコン信号が受信されたことを契機に、前記ビーコン信号に基づき前記位置情報検出部により検出される前記位置情報により示される位置近傍の画像を撮像する画像撮像部、をさらに具備し、
前記位置情報送信部は、前記画像撮像部により撮像された画像を、前記ビーコン信号発信器の前記識別子と共に、前記サーバへ送信する、
ことを特徴とする請求項１に記載の位置情報収集システム。
【請求項３】
前記信号受信部は、前記ビーコン信号発信器から発信される前記ビーコン信号を、Ｂｌｕｅｔｏｏｔｈ（登録商標）  Ｌｏｗ  Ｅｎｅｒｇｙ（ＢＬＥ）規格に基づく非接触型無線通信を介して受信する、ことを特徴とする請求項１又は２に記載の位置情報収集システム。
【請求項４】
前記位置情報収集装置は、前記ビーコン信号発信器から発信される前記ビーコン信号を受信可能なビーコン信号受信範囲を、隣接する位置情報収集装置のビーコン信号受信範囲と重複するよう設定する、ことを特徴とする請求項１〜３のいずれか１項に記載の位置情報収集システム。
【請求項５】
ショッピングエリア内を移動するユーザにより、入店からチェックアウトまでの間保持される、少なくとも１つの可搬コンテナと、前記ショッピングエリア内の所定位置に設置される感応型コンテンツ表示装置とを備える感応型コンテンツ提示システムであって、
前記可搬コンテナには、ビーコン信号発信器が配設され、前記ビーコン信号発信器は、当該ビーコン信号発信器を一意に識別する識別子を含むビーコン信号を間欠的に発信し、
前記感応型コンテンツ表示装置は、
前記ビーコン信号発信器から発信される前記ビーコン信号を受信する信号受信部と、
前記信号受信部により受信された前記ビーコン信号から、前記ビーコン信号発信器を一意に識別する識別子を取得する識別子取得部と、
前記識別子取得部により取得された前記ビーコン信号発信器の前記識別子に対応するコンテンツの検索要求を、無線通信路を介して接続されるサーバへ送信する検索要求送信部と、
前記サーバから、前記検索要求送信部により送信された前記検索要求に応じて、前記ビーコン信号発信器の位置情報から得られる軌跡情報に対応して検索されたコンテンツを受信するコンテンツ受信部と、
前記コンテンツ受信部により受信された前記コンテンツを、前記ビーコン信号が受信される間、表示装置に表示させる表示制御部と、
を具備し、
前記ビーコン信号発信器の前記位置情報は、前記ショッピングエリア内の所定位置に配置される位置情報収集装置が受信する前記ビーコン信号の受信方向および受信信号強度に基づき前記位置情報収集装置により検出され、前記サーバへ送信される、ことを特徴とする感応型コンテンツ提示システム。
【請求項６】
ショッピングエリア内を移動するユーザにより、入店からチェックアウトまでの間保持される、少なくとも１つの可搬コンテナと、前記ショッピングエリア内の所定位置に配置される位置情報収集装置とを備える位置情報収集システムにおいて実行される位置情報収集方法であって、
前記可搬コンテナに配設されるビーコン信号発信器が、当該ビーコン信号発信器を一意に識別する識別子を含むビーコン信号を間欠的に発信するステップと、
前記位置情報収集装置が、前記ビーコン信号発信器から発信される前記ビーコン信号を受信するステップと、
前記位置情報収集装置が、受信された前記ビーコン信号の受信方向および受信信号強度から、前記ビーコン信号に含まれる前記識別子で特定されるビーコン信号発信器の位置情報を検出するステップと、 
前記位置情報収集装置が、前記ビーコン信号の受信開始時刻における前記ビーコン信号発信器の前記位置情報と、前記ビーコン信号発信器の前記識別子と、前記受信開始時刻と、を少なくとも含む受信開始位置情報を生成するステップと、
前記位置情報収集装置が、前記ビーコン信号が消失した受信消失時刻における前記ビーコン信号発信器の前記位置情報と、前記ビーコン信号発信器の前記識別子と、前記受信消失時刻と、を少なくとも含む受信消失位置情報を生成するステップと、
前記位置情報収集装置が、生成された前記受信開始位置情報と、生成された前記受信消失位置情報と、を無線通信路を介して接続されるサーバへ送信するステップと、
を含むことを特徴とする位置情報収集方法。
【請求項７】
コンピュータを、ショッピングエリア内の所定位置に配置される位置情報収集装置として動作させるコンピュータプログラムであって、該プログラムは、
前記ショッピングエリア内を移動するユーザにより、入店からチェックアウトまでの間保持される可搬コンテナに配設されるビーコン信号発信器から間欠的に発信される、当該ビーコン信号発信器を一意に識別する識別子を含むビーコン信号を受信する信号受信処理と、
前記信号受信処理により受信された前記ビーコン信号の受信方向および受信信号強度から、前記ビーコン信号に含まれる前記識別子で特定されるビーコン発信器の位置情報を検出する位置情報検出処理と、 
前記ビーコン信号の受信開始時刻における前記ビーコン信号発信器の前記位置情報と、前記ビーコン信号発信器の前記識別子と、前記受信開始時刻と、を少なくとも含む受信開始位置情報を生成する受信開始位置情報生成処理と、
前記ビーコン信号が消失した受信消失時刻における前記ビーコン信号発信器の前記位置情報と、前記ビーコン信号発信器の前記識別子と、前記受信消失時刻と、を少なくとも含む受信消失位置情報を生成する受信消失位置情報生成処理と、
前記受信開始位置情報生成処理により生成された前記受信開始位置情報と、前記受信消失位置情報生成処理により生成された前記受信消失位置情報と、を、無線通信路を介して接続されるサーバへ送信する位置情報送信処理と、
を前記コンピュータに実行させることを特徴とするコンピュータプログラム。